(57)【特許請求の範囲】
【請求項１】
端部に凹部を設けたピアスホルダーの板体と同じく凹部を設けたピアスホルダーの板体の間に衝撃吸収材を挟むように設置し、合わさった凹部の内側部分の衝撃吸収材の端部にスリットを少なくとも１本または複数本形成し、そのスリットの挿入口からピアスのキャッチを装着したままピアスのポスト部分を差し込むことでピアスを保持固定することを特徴とするピアスホルダー。
【発明の詳細な説明】
【技術分野】
【０００１】  本発明は、ピアスを収納するための挟み式ピアスホルダーに関する
【背景技術】
【０００２】従来のキャッチを有するピアス（図７−ａ）を収納するためのピアスホルダーの形状は、ピアスホルダー（図６）の板体１に円形の通し孔８を設けて、その通し孔にピアスのポスト部分４を通し、ピアスホルダーの板体１の反対側から突出したピアスのポスト部分にピアスを止めるためのキャッチ５を装着するものとなっている。
またキャッチを必要としない形状のフックピアス（図７−ｂ）とアメリカンピアス（別名チェーンピアス）（図７−ｃ）も円形の通し孔にフック部分６を通し、ピアスホルダーに収納される。
また、スナップピアス（図７−ｄ）、フープピアス（別名リングピアス図７−ｅ＿１、２）は円形の通し孔にピアスのポスト部分を通したのち、ピアス本体とピアスのポスト部分をそれらの留め部１１に入れ込むことにより、固定され、ピアスホルダー（図６）に収納される。【０００３】  以下、図７−ａ、ｂ、ｃ、ｄ、ｅ、によりピアスの形状について説明する。（非特許文献１参考）
図７−ａキャッチを有するピアスとは、石やビーズなどを施したピアスの装飾部分９とピアスのポスト部分４が接合しており、そのピアスのポスト部をピアスのために生物の耳または体に開けれた穴、もしくはピアスホルダーの板体１に開けられた円形の通し孔８に通し入れた事で突出したピアスのポスト部分にピアスのキャッチ５を装着させることで使用するものである。
図７−ｂフックピアスとは、ピアスの装飾部９と接合されたピアスのフック部分６があり、そのフック部分がキャッチを有するピアスでのポスト部分と同様の働きとなり、そのピアスのフック部分をピアスのために生物の耳または体に開けられた穴、もしくはピアスホルダーの板体１に開けられた円形の通し孔８に通し入れて引っかかる力を利用して使用するものである。
これと似た形状で図７−ｃアメリカンピアス（別名チェーンピアス）もあり、フックピアスと同様に生物の耳または体開けられた穴、もしくはピアスホルダーの板体に開けられた円形の通し孔にチェーンピアスのフック部分を通して使用する。
図７−ｄスナップピアスとは、ピアス本体に可動するピアスのポスト部分４があり、それをピアスのために生物の耳または体に開けられた穴、もしくはピアスホルダー板体１に開けられた円形の通し孔８に通し入れたのち、留め部１１に入れ込み固定することで使用する。
フープピアスとは、ピアス本体のフレームが輪になっているものであり、図７−ｅ＿１はピアスのポスト部分４のみが可動し、ポスト部分４の端をピアス本体のフレーム部分に差し込み、それをピアスのために生物の耳または体に開けられた穴、もしくはピアスホルダー板体１に開けられた円形の通し孔８通し入れたのち、留め部１１に入れ込み固定することで使用するもの。図７−ｅ＿２はピアス本体が広がり、それをピアスのために耳に開けられた穴、もしくはピアスホルダー板体１に通し入れたのち、留め部１１を入れ込み、固定することで使用するものである。
図７のピアスの有するポスト部分４の太さは、一般的に２０Ｇ（０、８ｍｍ）〜１６Ｇ（１、２ｍｍ）であり、ピアスホルダーの通し孔８はそれ以上の大きさとなり、通し孔の大きさは一般的に２ｍｍ程度の物が多い。【０００４】  以下、図５、図６により従来のピアスホルダーについて説明する。図において、１はピアスを収納するための板体で、ピアスの通し孔８を有している。この通し孔８にピアスのポスト部分４を通し入れる。その際キャッチを有するピアスは通し入れた板体１の反対側より突出したピアスのポスト部分４にピアスのキャッチ５を装着する。それにより、ピアスが固定され、ピアスを収納するピアスホルダーとなる。
フックピアス、アメリカンピアスは、そのピアスのフック部分６をピアスホルダーの板体１の有する通し孔８に通し入れることでそのＵ字型の形状により引っかかることで落下は防止され、ピアスを収納するピアスホルダーとなる。
スナップピアス、フープピアスはいずれも、そのピアスのポスト部分をピアスホルダー板体１の有する通し孔８に通し入れたのち、留め部１１に入れ込み固定することでピアスを収納するピアスホルダーとなる。
【先行技術文献】
【特許文献】
【０００５】
【特許文献１】  特開平０７−２０６０３７
【非特許文献】
【０００６】
【非特許文献１】  「ハンドメイドのピアス＆イヤリング」新星出版社、２０１５年９月５日、ｐ．３２、３３、３４。
【発明の概要】
【発明が解決しようとする課題】
【０００７】  以上に述べた従来のピアスホルダーでは、ピアスホルダーの板体１に開けられた通し孔８の大きさが一般的に２ｍｍ程度と小さく、視力の悪い人や老眼の人などは小さな通し孔８を見つけにくく、手が震える症状の人、細かな作業が苦手な人などは、通し孔８にピアスのポスト部分を通す事が容易にはできない。また、ピアスホルダーの板体の種類によっては、ピアスのポスト部分４を通し孔に通す際に、ピアスのポスト部分４やピアスの装飾部９が擦れることで傷ついたり、メッキが剥がれたりするなどして審美性が悪くなる可能性がある上、図７−ａのキャッチを有するピアスは、キャッチを外した状態で、片手でピアスの装飾部９またはピアスのポスト部分を保持し、ピアスホルダーの板体１に開けられた通し孔８にピアスのポスト部分４を通し入れる際に、よくピアスのキャッチ５を落とすことがあった。本発明は、以上のような欠点をなくすために考えたものである。
【課題を解決するための手段】
【０００８】  本発明にあっては、上記課題を解決するため、ピアスを収納するピアスホルダーの板体１の端部に凹部を設け、その凹部の内側部分に衝撃吸収材２を設置し、更にその衝撃吸収材の端部からピアスのポストのゲージの長さよりも長いスリット３を少なくとも１本または複数本形成し、そのスリットの挿入口１０からピアスのポスト部分４を差し込むことでピアスを保持、固定するようにした。【０００９】  図９、図１０、図１１によりピアスホルダーの板体１と衝撃吸収材２がどのように設置されるかを説明する。
図９ピアスを収納するピアスホルダーの板体１の端部に凹部を設け、その凹部の内側部分に衝撃吸収材２を設置し、更にその衝撃吸収材の端部からスリット３を少なくとも１本または複数本形成する。その際スリットの長さは少なくともピアスのゲージの長さよりも長くする。
そのスリットの挿入口１０からピアスのポスト部分４を差し込むことでピアスを保持固定する構造となる。その厚みはキャッチを有するピアス（図７−ａ）のピアス装飾部９とピアスのポスト部分４との接合部からピアスのキャッチ５までの距離１２よりも短いものとする。
図１０端部に凹部を設けたピアスホルダーの板体１と同じく凹部を設けたピアスホルダーの板体１の間に衝撃吸収材２を挟むように設置し、合わさった凹部の内側部分の衝撃吸収材２の端部にスリット３を少なくとも１本または複数本形成する。その際スリットの長さは少なくともピアスのゲージの長さよりも長くする。そのスリットの挿入口１０からピアスのポスト部分４を差し込むことでピアスを保持固定する構造となる。衝撃吸収材をピアスホルダーの板体２枚で挟むため、補強の役割を果たすが、３枚が合わさった厚みは、キャッチを有するピアス（図７−ａ）のピアスの装飾部９とピアスのポスト部分との接合部からピアスのキャッチ５までの距離１２よりも短いものとする。
図１１端部に凹部を設けたピアスホルダーの板体１の片側に衝撃吸収材２を貼り合わせるように設置し、凹部の内側部分の衝撃吸収材の端部から少なくとも１本または複数本のスリット３を形成する。その際スリットの長さは少なくともピアスのゲージの長さよりも長くする。そのスリットの挿入口１０からピアスのポスト部分４を差し込むことでピアスを保持固定する構造となる。衝撃吸収材とピアスホルダーの板体を貼り合わせるため、補強の役割を果たすが、図１０のタイプよりは補強の度合いは弱くなると思われる。２枚が合わさった厚みは、キャッチを有するピアスの装飾部とピアスのポスト部分との接合部からピアスのキャッチまでの距離１２よりも短いものとする。
【発明の効果】
【００１０】  ピアスホルダーの板体１に開けられた小さな通し孔８を探す必要がなく、スリット３にピアスを挟むだけで済むため、視力の悪い人、老眼の人、手が震える症状の人、細かな作業が苦手な人でも容易にピアスをピアスホルダーに収納する事ができる。
また、ピアスのポスト部分４をピアスホルダーの板体に開けられた通し孔に通し入れる必要がなくなり、ピアスのポスト部分を通し孔に入れる際にピアスのポスト部分やピアスの装飾部分９を傷つけたり、メッキが剥がれたりして審美性が悪くなる事を防げる。
また、図７−ａキャッチを有するピアスの場合、片手でピアスの装飾部９またはピアスのポスト部分を保持し、ピアスホルダーの板体に開けられた通し孔にピアスのポスト部分を通し入れる際に、よくピアスのキャッチを落とすことがあったが、それも防ぐことができる。
【発明を実施するための形態】
【００１１】  図８により、本発明がどのようにピアスを保持、固定するのかを説明する。
ピアスホルダーの板体１に設けられた凹部の内側部は衝撃吸収材２を設置する。その際の衝撃吸収材とは、シリコン、ゴム、高分子ゲル、Ｄ３０▲Ｒ▼、ラテックス、ウレタン、ポリエチレン、スポンジ、樹脂、海綿、塩化ビニルなどである。その衝撃吸収材部分に端部からピアスのポストの長さよりも長いスリット３を少なくとも１本または複数本形成し、切り込みがある状態とする。その際のスリットの長さは、少なくともピアスのポスト部分のゲージよりも長いものとなる。
通常時、そのスリットの両端は密着、またはピアスのポスト部分４の太さ（ゲージ）よりも細くなっている。またそのスリットの切り込みはピアスが保持または固定されれば良いので、必ずしも直線でなくて良い。（図２）
そこにピアスのポスト部分をピアスの挿入口１０より差し込むとスリットが開く。だが、ピアスのポスト部分が通過した後は衝撃吸収材の復元力の効果により、再びスリットの両端は密着、またはピアスのポスト部分の太さ（ゲージ）よりも細くなる。その際のピアスのポスト部分に接している衝撃吸収材部分にはピアスのポスト部分方向に向かう復元力がかかり、その力の方向は矢印７で表される。その時、衝撃吸収材はピアスのポスト部分に等しい形に変形し、ピアスのポスト部分に接していない場所のスリットの両端は離れていても、ピアスのポスト部分には密着している。そのため、ピアスを保持する事ができ、落下や脱離を防ぐことができる。
【００１２】  上記のピアスホルダーの板体１に入れた凹部の形状は、本発明の効果とは関係ないため、凹部の形状は自由となり、衝撃吸収材２の復元力による落下防止の効果により、どの方向に凹部を設けてもよいため、よってピアスホルダーの板体１の形態も自由となる。（図１）
【図面の簡単な説明】
【００１３】
【図１】本発明の実施形態を示す正面図
【図２】本発明の実施形態を示す正面図の拡大図
【図３】本発明の実施形態を示す斜視図
【図４−Ａ】本発明の実施形態を示すピアスのキャッチを有するピアスを使用した際の断面図
【図４−Ｂ】本発明の実施形態を示すフックピアスを使用した際の断面図
【図４−Ｃ】本発明の実施形態を示すチェーンピアスを使用した際の断面図
【図４−Ｄ】本発明の実施形態を示すスナップピアスを使用した際の断面図
【図４−Ｅ】本発明の実施形態を示すフープピアスを使用した際の断面図タイプ１とタイプ２
【図５】従来のピアスホルダーの正面図
【図６】従来のピアスホルダーの斜視図
【図７−ａ】キャッチを有するピアスの側面図
【図７−ｂ】フックピアス（別名Ｕ字型ピアス）の側面図
【図７−ｃ】アメリカンピアス（別名チェーンピアス）の側面図
【図７−ｄ】スナップピアスの斜視図
【図７−ｅ】フープピアス（別名リングピアス）の斜視図タイプ１とタイプ２
【図８】本発明の実施形態による保持固定の構造図
【図９】本発明の構造を示す実施形態の斜視図
【図１０】本発明の構造を示す実施形態の斜視図
【図１１】本発明の構造を示す実施形態の斜視図
【符号の説明】
【００１４】１  ピアスホルダーの板体
２  衝撃吸収材
３  スリット
４  ピアスのポスト部分
５  ピアスのキャッチ
６  フックピアスのフック部分
７  衝撃吸収材の復元力の方向を示す矢印
８  通し孔
９  ピアスの装飾部（石やビーズなどの装飾部分）
１０  スリット挿入口
１１  留め部
１２  ピアスの装飾部とポスト部分の接合部からキャッチまでの距離
【図１】
0006501162.tif 000002
【図２】
0006501162.tif 000003
【図３】
0006501162.tif 000004
【図４】
0006501162.tif 000005
【図５】
0006501162.tif 000006
【図６】
0006501162.tif 000007
【図７】
0006501162.tif 000008
【図８】
0006501162.tif 000009
【図９】
0006501162.tif 000010
【図１０】
0006501162.tif 000011
【図１１】
0006501162.tif 000012